(57)【特許請求の範囲】
【請求項１】
制御部と記憶部と表示部とを備え、商品に関する商品データを入力させるための商品入力領域と明細に関する明細データを入力させるための明細入力領域とを含む前記表示部に表示されている明細入力画面へのデータ入力を補助する明細入力補助装置であって、
前記記憶部には、商品を所定のルールに従ってグループ分けして得られたグループに関するグループデータと、商品に関する特性である商品特性に関する商品特性データと、商品特性の値である商品特性値に関する複数の商品特性値データと、が関連付けて格納されているグループマスタが記憶されており、
前記明細入力画面には、グループデータを入力させるためのグループ入力領域が含まれており、
前記制御部は、
前記グループ入力領域にグループデータが入力されると、入力されたグループデータと紐付けられている複数の商品特性値データを前記グループマスタから検索する検索手段と、
グループデータを表示するための表示領域と、複数の商品特性値データを表示したり、表示されている各々の商品特性値データごとに明細データを入力させたりするための入力・表示領域と、を含む商品展開補助画面であって、前記入力されたグループデータが前記表示領域に表示されており且つ前記検索手段で検索された複数の商品特性値データが前記入力・表示領域に表示されているものを生成する画面生成手段と、
前記画面生成手段で生成された商品展開補助画面を前記表示部に表示させる表示実行手段と、
を備えたこと
を特徴とする明細入力補助装置。
【請求項２】
前記グループデータは、グループコードとグループ名とを含み、
前記商品特性データは、商品特性コードと商品特性名とを含み、
前記商品特性値データは、商品特性値コードと商品特性値名とを含み、
前記表示部には、さらに、複数の商品についての商品データと明細データとを纏めて管理するための明細管理画面が表示されており、
前記検索手段は、前記グループ入力領域にグループコードが入力されると、入力されたグループコードと紐付けられているグループ名と複数の商品特性値データを前記グループマスタから検索し、
前記制御部は、
前記入力・表示領域に明細データが入力されると、前記入力されたグループコードと前記検索手段で検索された複数の商品特性値データに含まれる各々の商品特性値コードとが組み合わされた複数の商品コードを生成すると共に、前記検索手段で検索されたグループ名と複数の商品特性値データに含まれる各々の商品特性値名とが組み合わされた複数の商品名を生成する商品データ生成手段と、
前記入力・表示領域に表示されている明細データ、および前記商品データ生成手段で生成された商品コードと商品名とを含む複数の商品データを、前記明細管理画面に出力する出力実行手段と
をさらに備えたこと
を特徴とする請求項１に記載の明細入力補助装置。
【請求項３】
制御部と記憶部と表示部とを備えた情報処理装置の前記制御部で実行される、商品に関する商品データを入力させるための商品入力領域と明細に関する明細データを入力させるための明細入力領域とを含む前記表示部に表示されている明細入力画面へのデータ入力を補助する明細入力補助方法であって、
前記記憶部には、商品を所定のルールに従ってグループ分けして得られたグループに関するグループデータと、商品に関する特性である商品特性に関する商品特性データと、商品特性の値である商品特性値に関する複数の商品特性値データと、が関連付けて格納されているグループマスタが記憶されており、
前記明細入力画面には、グループデータを入力させるためのグループ入力領域が含まれており、
前記制御部で実行される、
前記グループ入力領域にグループデータが入力されると、入力されたグループデータと紐付けられている複数の商品特性値データを前記グループマスタから検索する検索ステップと、
グループデータを表示するための表示領域と、複数の商品特性値データを表示したり、表示されている各々の商品特性値データごとに明細データを入力させたりするための入力・表示領域と、を含む商品展開補助画面であって、前記入力されたグループデータが前記表示領域に表示されており且つ前記検索ステップで検索された複数の商品特性値データが前記入力・表示領域に表示されているものを生成する画面生成ステップと、
前記画面生成ステップで生成された商品展開補助画面を前記表示部に表示させる表示実行ステップと、
を含むこと
を特徴とする明細入力補助方法。
【請求項４】
制御部と記憶部と表示部とを備えた情報処理装置の前記制御部に実行させるための、商品に関する商品データを入力させるための商品入力領域と明細に関する明細データを入力させるための明細入力領域とを含む前記表示部に表示されている明細入力画面へのデータ入力を補助する明細入力補助プログラムであって、
前記記憶部には、商品を所定のルールに従ってグループ分けして得られたグループに関するグループデータと、商品に関する特性である商品特性に関する商品特性データと、商品特性の値である商品特性値に関する複数の商品特性値データと、が関連付けて格納されているグループマスタが記憶されており、
前記明細入力画面には、グループデータを入力させるためのグループ入力領域が含まれており、
前記制御部に実行させるための、
前記グループ入力領域にグループデータが入力されると、入力されたグループデータと紐付けられている複数の商品特性値データを前記グループマスタから検索する検索ステップと、
グループデータを表示するための表示領域と、複数の商品特性値データを表示したり、表示されている各々の商品特性値データごとに明細データを入力させたりするための入力・表示領域と、を含む商品展開補助画面であって、前記入力されたグループデータが前記表示領域に表示されており且つ前記検索ステップで検索された複数の商品特性値データが前記入力・表示領域に表示されているものを生成する画面生成ステップと、
前記画面生成ステップで生成された商品展開補助画面を前記表示部に表示させる表示実行ステップと、
を含むこと
を特徴とする明細入力補助プログラム。
【発明の詳細な説明】
【技術分野】
【０００１】
本発明は、明細入力補助装置、明細入力補助方法および明細入力補助プログラムに関する。
【背景技術】
【０００２】
特許文献１の段落００１１には、「商品単価検索部４では、商品コード、その商品の取引数量を入力した後、単価を入力する時、ファンクションキーを押下することによって、ヘッダー入力部３で入力した・・・商品コードをキーにして、累積取引ファイル５を検索する。」、「累積取引ファイル５に検索対象データが存在していた場合、ソート部６で検索対象データを伝票日付順にソートして、最近の日付のデータから順に画面表示部７によって図２の画面表示例の検索データ表示画面１２のように画面右上に５明細ずつ表示する。」、「単価選択部８では検索対象表示画面１２で表示させた内容の中から１つだけ選択する。」、および「取引担当者は、単価選択部８で選択された単価をもとにして単価を決定し、単価表示決定部９により単価表示位置１３に表示させる。」が記載されている。
【０００３】
特許文献２の段落００２４、００２７、００２８および００３２には、「「受注計算書」８の「受注計算書入力画面」機能が選択されると、図３に示されるような受注計算書入力画面のウインドウが開く。」、「受注仕入明細入力欄３０は、・・・受注明細入力欄３７・・・からなっている。」、「受注明細入力欄３７は、・・・商品名（商品コード）入力欄４１と、商品仕様／規格入力欄４２と、納期入力欄４３と、数量入力欄４４と、単価入力欄４５と、金額入力欄４６と、からなっている。」、および「・・・商品に関する情報、例えば、商品名（名称およびコード番号）および単価等が、予め受注・仕入情報記録部５に記録されている場合には、受注計算書入力画面にこれらの情報が入力される際に、関係する入力欄に開かれたウインドウに、予め受注・仕入情報記録部５に記録された情報が表示され、その中から該当する情報を選択するだけで情報を簡単に入力することができる。」が記載されている。
【先行技術文献】
【特許文献】
【０００４】
【特許文献１】特開平５−６１８９０号公報
【特許文献２】特開２００１−６０２２３号公報
【発明の概要】
【発明が解決しようとする課題】
【０００５】
しかしながら、品番は同じだが特性（例えば、カラーやサイズなど）が異なる複数の商品についての明細データの入力作業を効率よくユーザに行わせることができない、という問題点がある。
【０００６】
本発明は、上記に鑑みてなされたものであって、品番は同じだが特性（例えば、カラーやサイズなど）が異なる複数の商品についての明細データの入力作業の効率を向上させることができる明細入力補助装置、明細入力補助方法および明細入力補助プログラムを提供することを目的とする。
【課題を解決するための手段】
【０００７】
上述した課題を解決し、目的を達成するために、本発明にかかる明細入力補助装置は、制御部と記憶部と表示部とを備え、商品に関する商品データを入力させるための商品入力領域と明細に関する明細データを入力させるための明細入力領域とを含む前記表示部に表示されている明細入力画面へのデータ入力を補助する明細入力補助装置であって、前記記憶部には、商品を所定のルールに従ってグループ分けして得られたグループを示す品番に関する品番データと、商品に関する特性である商品特性に関する商品特性データと、商品特性の値である商品特性値に関する複数の商品特性値データと、が関連付けて格納されている品番マスタが記憶されており、前記明細入力画面には、品番データを入力させるための品番入力領域が含まれており、前記制御部は、前記品番入力領域に品番データが入力されると、入力された品番データと紐付けられている複数の商品特性値データを前記品番マスタから検索する検索手段と、品番データを表示するための表示領域と、複数の商品特性値データを表示したり、表示されている各々の商品特性値データごとに明細データを入力させたりするための入力・表示領域と、を含む商品展開補助画面であって、前記入力された品番データが前記表示領域に表示されており且つ前記検索手段で検索された複数の商品特性値データが前記入力・表示領域に表示されているものを生成する画面生成手段と、前記画面生成手段で生成された商品展開補助画面を前記表示部に表示させる表示実行手段と、を備えたことを特徴とする。
【０００８】
また、本発明にかかる明細入力補助装置は、前記の明細入力補助装置において、前記品番データは、品番コードと品番名とを含み、前記商品特性データは、商品特性コードと商品特性名とを含み、前記商品特性値データは、商品特性値コードと商品特性値名とを含み、前記表示部には、さらに、複数の商品についての商品データと明細データとを纏めて管理するための明細管理画面が表示されており、前記検索手段は、前記品番入力領域に品番コードが入力されると、入力された品番コードと紐付けられている品番名と複数の商品特性値データを前記品番マスタから検索し、前記制御部は、前記入力・表示領域に明細データが入力されると、前記入力された品番コードと前記検索手段で検索された複数の商品特性値データに含まれる各々の商品特性値コードとが組み合わされた複数の商品コードを生成すると共に、前記検索手段で検索された品番名と複数の商品特性値データに含まれる各々の商品特性値名とが組み合わされた複数の商品名を生成する商品データ生成手段と、前記入力・表示領域に表示されている明細データ、および前記商品データ生成手段で生成された商品コードと商品名とを含む複数の商品データを、前記明細管理画面に出力する出力実行手段とをさらに備えたことを特徴とする。
【０００９】
また、本発明にかかる明細入力補助方法は、制御部と記憶部と表示部とを備えた情報処理装置の前記制御部で実行される、商品に関する商品データを入力させるための商品入力領域と明細に関する明細データを入力させるための明細入力領域とを含む前記表示部に表示されている明細入力画面へのデータ入力を補助する明細入力補助方法であって、前記記憶部には、商品を所定のルールに従ってグループ分けして得られたグループを示す品番に関する品番データと、商品に関する特性である商品特性に関する商品特性データと、商品特性の値である商品特性値に関する複数の商品特性値データと、が関連付けて格納されている品番マスタが記憶されており、前記明細入力画面には、品番データを入力させるための品番入力領域が含まれており、前記制御部で実行される、前記品番入力領域に品番データが入力されると、入力された品番データと紐付けられている複数の商品特性値データを前記品番マスタから検索する検索ステップと、品番データを表示するための表示領域と、複数の商品特性値データを表示したり、表示されている各々の商品特性値データごとに明細データを入力させたりするための入力・表示領域と、を含む商品展開補助画面であって、前記入力された品番データが前記表示領域に表示されており且つ前記検索ステップで検索された複数の商品特性値データが前記入力・表示領域に表示されているものを生成する画面生成ステップと、前記画面生成ステップで生成された商品展開補助画面を前記表示部に表示させる表示実行ステップと、を含むことを特徴とする。
【００１０】
また、本発明にかかる明細入力補助プログラムは、制御部と記憶部と表示部とを備えた情報処理装置の前記制御部に実行させるための、商品に関する商品データを入力させるための商品入力領域と明細に関する明細データを入力させるための明細入力領域とを含む前記表示部に表示されている明細入力画面へのデータ入力を補助する明細入力補助プログラムであって、前記記憶部には、商品を所定のルールに従ってグループ分けして得られたグループを示す品番に関する品番データと、商品に関する特性である商品特性に関する商品特性データと、商品特性の値である商品特性値に関する複数の商品特性値データと、が関連付けて格納されている品番マスタが記憶されており、前記明細入力画面には、品番データを入力させるための品番入力領域が含まれており、前記制御部に実行させるための、前記品番入力領域に品番データが入力されると、入力された品番データと紐付けられている複数の商品特性値データを前記品番マスタから検索する検索ステップと、品番データを表示するための表示領域と、複数の商品特性値データを表示したり、表示されている各々の商品特性値データごとに明細データを入力させたりするための入力・表示領域と、を含む商品展開補助画面であって、前記入力された品番データが前記表示領域に表示されており且つ前記検索ステップで検索された複数の商品特性値データが前記入力・表示領域に表示されているものを生成する画面生成ステップと、前記画面生成ステップで生成された商品展開補助画面を前記表示部に表示させる表示実行ステップと、を含むことを特徴とする。
【発明の効果】
【００１１】
本発明によれば、品番入力領域と商品入力領域と明細入力領域とを含む明細入力画面に品番データが入力されると、制御部は、（１）入力された品番データと紐付けられている複数の商品特性値データを品番マスタから検索し、（２）入力された品番データと検索された複数の商品特性値データとが表示されている商品展開補助画面を生成し、（３）生成された商品展開補助画面を表示させる。これにより、品番は同じだが特性（例えば、カラーやサイズなど）が異なる複数の商品についての明細データの入力作業の効率を向上させることができるという効果を奏する。
【００１２】
また、本発明によれば、商品展開補助画面に明細データが入力されると、制御部は、（４）明細入力画面に入力された品番コードと検索された複数の商品特性値データに含まれる各々の商品特性値コードとが組み合わされた複数の商品コードを生成すると共に、検索された品番名と複数の商品特性値データに含まれる各々の商品特性値名とが組み合わされた複数の商品名を生成し、（５）商品展開補助画面に表示されている明細データ、および生成された商品コードと商品名とを含む複数の商品データを、表示されている明細管理画面に出力する。これにより、商品に関する情報（例えば商品コードおよび商品名など）を自動で作成することで、品番は同じだが特性（例えば、カラーやサイズなど）が異なる複数の商品についての明細データの入力から作成までの作業の効率を向上させることができるという効果を奏する。
【図面の簡単な説明】
【００１３】
【図１】図１は、業務管理装置１００の構成の一例を示すブロック図である。
【図２】図２は、業務管理装置１００で実行される処理の一例を示すフローチャートである。
【図３】図３は、受注明細入力画面の一例を示す図である。
【図４】図４は、商品展開補助画面の一例を示す図である。
【図５】図５は、受注明細管理画面の一例を示す図である。
【図６】図６は、受注明細入力画面の一例を示す図である。
【図７】図７は、商品展開補助画面の一例を示す図である。
【発明を実施するための形態】
【００１４】
本発明にかかる明細入力補助装置、明細入力補助方法および明細入力補助プログラムの実施形態を、図面に基づいて詳細に説明する。なお、本発明は、この実施形態により限定されるものではない。
【００１５】
［１．構成］
本発明を包含する本実施形態にかかる業務管理装置１００の構成の一例について、図１を参照して説明する。図１は、業務管理装置１００の構成の一例を示すブロック図である。業務管理装置１００は、業務管理（例えば販売管理または在庫管理など）を支援するアプリケーションがインストールされている据置型または携帯型の情報処理装置（例えば、デスクトップ型のパーソナルコンピュータ、ノート型のパーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型のパーソナルコンピュータなど）である。
【００１６】
業務管理装置１００は、制御部１０２と通信インターフェース部１０４と記憶部１０６と入出力インターフェース部１０８と、を備える。業務管理装置１００が備える各部は、任意の通信路を介して通信可能に接続されている。
【００１７】
通信インターフェース部１０４は、ルータ等の通信装置および専用線等の有線または無線の通信回線を介して、業務管理装置１００をネットワークに通信可能に接続する。通信インターフェース部１０４は、他の装置と通信回線を介してデータを通信する機能を有する。
【００１８】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウスおよびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００１９】
記憶部１０６には、各種のデータベース、テーブルおよびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスクおよび光ディスク等を用いることができる。
【００２０】
記憶部１０６は、品番マスタ１０６ａと、明細データファイル１０６ｂと、を含む。
【００２１】
品番マスタ１０６ａは、項目として、「品番コード」と「品番名」と「商品特性コード」と「商品特性名」と「商品特性値」と「商品特性値名」と「商品展開補助起動区分」とが含まれており、各々の項目ごとにデータ格納欄が設けられているマスタである。
【００２２】
項目「品番コード」のデータ格納欄には、商品（具体的には、マスタ管理可能な在庫管理の最小単位）を同じ形・同じデザインなど所定のルールに従ってグループ分けして得られたグループを示す品番として定義された文字列（例えば「パデットロングコート」など）に割り当てられたコード値（例えば「２０１２０４０１００」など）が格納される。項目「品番名」のデータ格納欄には、品番として定義された文字列が格納される。
【００２３】
項目「商品特性コード」のデータ格納欄には、商品に関する特性（具体的には、商品において変動する特性）である商品特性として定義された文字列（例えば「カラー」または「サイズ」など）に割り当てられたコード値（例えば、商品特性「カラー」に割り当てられた「ＣＯＬＯＲ」、または商品特性「サイズ」に割り当てられた「ＳＩＺＥ」、など）が格納される。項目「商品特性名」のデータ格納欄には、商品特性として定義された文字列が格納される。
【００２４】
項目「商品特性値」のデータ格納欄には、商品特性の値である商品特性値として定義された文字列（例えば、商品特性「カラー」の商品特性値として定義された「黒」、「白」および「青」、商品特性「サイズ」の商品特性値として定義された「Ｓ」、「Ｍ」および「Ｌ」など）に割り当てられたコード値（例えば、商品特性値「黒」に割り当てられた「００」、商品特性値「白」に割り当てられた「０１」、商品特性値「青」に割り当てられた「０２」、商品特性値「Ｓ」に割り当てられた「００」、商品特性値「Ｍ」に割り当てられた「０１」および商品特性値「Ｌ」に割り当てられた「０２」など）が格納される。項目「商品特性値名」のデータ格納欄には、商品特性値として定義された文字列が格納される。
【００２５】
項目「商品展開補助起動区分」のデータ格納欄には、後述する商品展開補助画面が予め複数用意されていた場合に、起動させる商品展開補助画面を特定するためのフラグが格納される。なお、起動させる商品展開補助画面は、商品の性質を考慮して決定すればよい。
【００２６】
明細データファイル１０６ｂは、項目として、「商品コード」と「商品名」と「品番コード」と「荷姿」と「入数」と「荷数」と「バラ数」と「数量」と「その他」とが含まれており、各々の項目ごとにデータ格納欄が設けられているファイルである。
【００２７】
項目「商品コード」のデータ格納欄には、商品として定義された文字列（例えば、品番名と商品特性値名とが組み合わされた「パデットロングコート  黒  Ｓ」など）に割り当てられたコード値（例えば、品番コードと商品特性値コードとが組み合わされた「２０１２０４０１００００００」など）が格納される。項目「商品名」のデータ格納欄には、商品として定義された文字列が格納される。商品コードは、具体的には、ＳＫＵ（Ｓｔｏｃｋ  Ｋｅｅｐｉｎｇ  Ｕｎｉｔ）（商品識別の最小単位）である。
【００２８】
項目「その他」のデータ格納欄には、例えば、Ｐ／Ｓ区分、上代、掛率または単価などの明細に関するデータが格納されてもよい。
【００２９】
なお、記憶部１０６は、例えば、商品マスタおよびカテゴリ別特性マスタなどを含んでもよい。ここで、商品マスタは、商品の商品コード（ＳＫＵ）が設定されたマスタである。また、カテゴリ別特性マスタは、商品コードに対して、商品コードの示す属性としての特性値が複数設定されたマスタである。なお、商品マスタは、例えば、項目として、「商品コード」、「商品名」、「商品特性名」、および「標準単価」が含まれており、各々の項目ごとにデータ格納欄が設けられているマスタでもよい。また、商品コードは、品番コードと商品特性値コードとの組み合わせ以外のものでもよい。また、商品名は、品番名と商品特性値名との組み合わせ以外のものでもよい。
【００３０】
制御部１０２は、業務管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００３１】
制御部１０２は、機能概念的に、検索部１０２ａと、画面生成部１０２ｂと、表示実行部１０２ｃと、商品データ生成部１０２ｄと、出力実行部１０２ｅと、登録部１０２ｆと、を含む。
【００３２】
検索部１０２ａは、明細入力画面に含まれている品番入力領域に品番データ（具体的には品番コードまたは品番名）が入力されると、入力された品番データと紐付けられている複数の商品特性値データ（具体的には商品特性値コードまたは商品特性値名）を品番マスタ１０６ａから検索する。ここで、明細入力画面は、後述する明細管理画面の子画面に相当するものであり、品番データ（具体的には品番コードおよび品番名）を入力させるための品番入力領域と、商品に関する商品データ（具体的には商品コードおよび商品名）を入力させるための商品入力領域と、明細に関する明細データ（例えば、荷姿、入数、荷数、バラ数および数量など）を入力させるための明細入力領域と、を含むものである。明細入力画面の具体例については、後述する［２．処理］にて説明する。
【００３３】
画面生成部１０２ｂは、入力された品番データが商品展開補助画面に含まれている表示領域に表示されており且つ検索部１０２ａで検索された複数の商品特性値データが商品展開補助画面に含まれている入力・表示領域に表示されている商品展開補助画面を生成する。ここで、商品展開補助画面は、品番データ（具体的には品番コードおよび品番名）を表示するための表示領域と、複数の商品特性値データ（具体的には商品特性値コードまたは商品特性値名）を表示したり、表示されている各々の商品特性値データごとに明細データ（例えば、荷姿、入数、荷数、バラ数および数量など）を入力させたりするための入力・表示領域と、を含むものである。商品展開補助画面の具体例については、後述する［２．処理］にて説明する。
【００３４】
表示実行部１０２ｃは、各種画面をモニタ１１４に表示させる。表示実行部１０２ｃは、画面生成部１０２ｂで生成された商品展開補助画面をモニタ１１４に表示させる。
【００３５】
商品データ生成部１０２ｄは、商品展開補助画面に含まれている入力・表示領域に明細データが入力されると、明細入力画面に含まれている品番入力領域に入力された品番データ（商品展開補助画面に含まれている表示領域に表示されている品番データ）に含まれる品番コードと検索部１０２ａで検索された複数の商品特性値データに含まれる各々の商品特性値コードとが組み合わされた複数の商品コードを生成すると共に、明細入力画面に含まれている品番入力領域に入力された品番データ（商品展開補助画面に含まれている表示領域に表示されている品番データ）に含まれる品番名と検索部１０２ａで検索された複数の商品特性値データに含まれる各々の商品特性値名とが組み合わされた複数の商品名を生成する。つまり、商品データ生成部１０２ｄは、品番データおよび複数の商品特性値データに基づいて、商品コードと商品名を含む複数の商品データを生成する。
【００３６】
ここで、記憶部１０６に商品マスタおよびカテゴリ別特性マスタが含まれている場合、商品データ生成部１０２ｄは、商品展開補助画面に含まれている入力・表示領域に明細データが入力されると、明細入力画面に含まれている品番入力領域に入力された品番データと検索部１０２ａで検索された複数の商品特性値データとに基づいて、商品マスタおよびカテゴリ別特性マスタから、品番コードと商品特性値コードとの組み合わせで特定される商品コード、および品番名と商品特性値名との組み合わせで特定される商品名を、各々の商品特性値データごとに検索することで、商品コードと商品名を含む複数の商品データを生成してもよい。
【００３７】
出力実行部１０２ｅは、各種画面へのデータ出力を実行する。出力実行部１０２ｅは、商品展開補助画面に含まれている入力・表示領域に表示されている複数の明細データ、および商品データ生成部１０２ｄで生成された複数の商品データを、明細管理画面に出力する。ここで、明細管理画面は、明細入力画面の親画面に相当するものであり、複数の商品についての商品データと明細データとを纏めて管理するためのものである。明細管理画面の具体例については、後述する［２．処理］にて説明する。
【００３８】
登録部１０２ｆは、明細管理画面に表示されている商品データと明細データとを、明細データファイル１０６ｂに格納する。
【００３９】
［２．処理］
ユーザが、受注に関する明細の新規入力、修正そして登録までの作業を一連の流れで行う場合に業務管理装置１００で実行される処理の一例について、図２から７を参照して説明する。図２は、業務管理装置１００で実行される処理の一例を示すフローチャートである。
【００４０】
なお、本説明では、図３に示す受注明細入力画面ＭＡ（ただし、テキストボックスＭＡ１とテキストボックスＭＡ２に何も表示されていない初期状態のもの）と当該受注明細入力画面ＭＡの親画面である図５に示す受注明細管理画面ＭＣ（ただし、表示領域ＭＣ１に何も表示されていない初期状態のもの）とがモニタ１１４に表示されていることを前提とする。
【００４１】
ここで、図２の説明に入る前に、図３に示す受注明細入力画面ＭＡについて説明する。受注明細入力画面ＭＡは、テキストボックスＭＡ１とテキストボックスＭＡ２と商品展開ボタンＭＡ３とテキストボックスＭＡ４とテキストボックスＭＡ５とテキストボックスＭＡ６と入力・表示領域ＭＡ７と確定ボタンＭＡ８とを含む。
【００４２】
テキストボックスＭＡ１は、品番コードを入力および表示するためのものである。テキストボックスＭＡ２は、品番名を入力および表示するためのものである。商品展開ボタンＭＡ３は、後述する商品展開補助画面ＭＢの表示を選択させるためのものである。テキストボックスＭＡ４は、商品展開ボタンＭＡ３の押下後に発行される、商品展開を識別するための展開番号を表示するためのものである。
【００４３】
テキストボックスＭＡ５は、商品コードを入力および表示するためのものである。テキストボックスＭＡ６は、商品名を入力および表示するためのものである。入力・表示領域ＭＡ７は、商品についての明細データを入力および表示するための複数のテキストボックスからなるものである。確定ボタンＭＡ８は、受注明細入力画面ＭＡに表示されているデータの受注明細管理画面ＭＢへの反映を選択させるためのものである。
【００４４】
図２の説明に入る。ユーザは、キーボード１１２を操作してテキストボックスＭＡ１に品番コードを入力する。
【００４５】
テキストボックスＭＡ１に品番コードが入力されると、検索部１０２ａは、入力された品番コートと紐づけられている品番名を品番マスタ１０６ａから検索し、出力実行部１０２ｅは、検索された品番名をテキストボックスＭＡ２に出力する。
【００４６】
ユーザは、マウス１１２を操作して商品展開ボタンＭＡ３を押下する。
【００４７】
商品展開ボタンＭＡ３が押下されると（ステップＳ１：Ｙｅｓ）、制御部１０２は、展開番号を発行し、検索部１０２ａは、テキストボックスＭＡ１に表示されている品番コードと紐付けられている複数の商品特性値コードおよび商品特性値名を、品番マスタ１０６ａから検索する（ステップＳ２）。
【００４８】
画面生成部１０２ｂは、テキストボックスＭＡ１およびテキストボックスＭＡ２に表示されている品番コードおよび品番名とステップＳ２で発行された展開番号とステップＳ２で検索された複数の商品特性値名とが表示されている商品展開補助画面ＭＢを生成する（ステップＳ３）。
【００４９】
ここで、商品展開補助画面ＭＢについて図４を参照して説明する。商品展開補助画面ＭＢは、テキストボックスＭＢ１とテキストボックスＭＢ２とテキストボックスＭＢ３とテキストボックスＭＢ４と入力・表示領域ＭＢ５と確定ボタンＭＢ６とを含む。テキストボックスＭＢ１は、展開番号を表示するためのものである。テキストボックスＭＢ２は、品番コードを表示するためのものである。テキストボックスＭＢ３は、品番名を表示するためのものである。テキストボックスＭＢ４は、入力・表示領域ＭＢ５に表示されている数量の合計を表示するためのものである。入力・表示領域ＭＢ５は、商品特性値名の組み合わせごとに明細データを入力および表示するためのものである。確定ボタンＭＢ６は、入力・表示領域ＭＢ５に表示されている複数の商品の明細データの確定を選択させるためのものである。
【００５０】
図２の説明に戻り、表示実行部１０２ｃは、ステップＳ３で生成された商品展開補助画面ＭＢをモニタ１１４に表示させる（ステップＳ４）。
【００５１】
ユーザは、キーボード１１２を操作して所望の明細データ（特にバラ数および数量など）を入力・領域ＭＢ５に入力し、マウス１１２を操作して確定ボタンＭＢ６を押下する。
【００５２】
確定ボタンＭＢ６が押下されると（ステップＳ５：Ｙｅｓ）、商品データ生成部１０２ｄは、テキストボックスＭＢ２に表示されている品番コードとステップＳ２で検索された各々の商品特性値コードとが組み合わされた複数の商品コードを生成すると共に、テキストボックスＭＢ３に表示されている品番名とステップＳ２で検索された各々の商品特性値名とが組み合わされた複数の商品名を生成する（ステップＳ６）。つまり、商品データ生成部１０２ｄは、品番データおよび複数の商品特性値データに基づいて、商品コードと商品名を含む複数の商品データを生成する。
【００５３】
例えば、テキストボックスＭＢ２に品番コード「２０１２０４０１００」が表示されており、ステップＳ２で、商品特性名「カラー」に対応する３つの商品特性値コード「００」、「０１」および「０２」と商品特性名「サイズ」に対応する２つの商品特性値コード「００」および「０１」とが検索された場合、商品データ生成部１０２ｄは、品番コード「２０１２０４０１００」と３つの商品特性値コード「００」、「０１」および「０２」と２つの商品特性値コード「００」および「０１」とを順に組み合わせて、６つの商品コード「２０１２０４０１００００００」〜「２０１２０４０１０００２０１」を生成する。
【００５４】
例えば、テキストボックスＭＢ３に品番名「パデットロングコート」が表示されており、ステップＳ２で、商品特性名「カラー」に対応する３つの商品特性値名「黒」、「白」および「青」と商品特性名「サイズ」に対応する２つの商品特性値名「Ｓ」および「Ｍ」とが検索された場合、商品データ生成部１０２ｄは、品番名「パデットロングコート」と３つの商品特性値名「黒」、「白」および「青」と２つの商品特性値名「Ｓ」および「Ｍ」とを順に組み合わせて、６つの商品名「パテッドロングコート  黒  Ｓ」〜「パテッドロングコート  青  Ｍ」を生成する。
【００５５】
ここで、記憶部１０６に商品マスタおよびカテゴリ別特性マスタが含まれている場合、商品データ生成部１０２ｄは、テキストボックスＭＢ２に表示されている品番コードとテキストボックスＭＢ３に表示されている品番名、およびステップＳ２で検索された各々の商品特性値コードと商品特性値名に基づいて、商品マスタおよびカテゴリ別特性マスタから、品番コードと商品特性値コードとの組み合わせで特定される商品コード、および品番名と商品特性値名との組み合わせで特定される商品名を、各々の商品特性値データごとに検索することで、商品コードと商品名を含む複数の商品データを生成してもよい。
【００５６】
出力実行部１０２ｅは、入力・表示領域ＭＢ５に表示されている複数の商品の明細データとステップＳ６で生成された複数の商品データとを、受注明細管理画面ＭＣの表示領域ＭＣ１に出力する（ステップＳ７）。
【００５７】
ここで、受注明細管理画面ＭＣについて図５を参照して説明する。受注明細管理画面ＭＣは、表示領域ＭＣ１と新規ボタンＭＣ２と削除ボタンＭＣ３と編集ボタンＭＣ４と登録ボタンＭＣ５とを含む。表示領域ＭＣ１は、各々の商品についての、展開番号と商品データ（商品コードおよび商品名）と明細データとを、行を分けて表示するためのものである。新規ボタンＭＣ２は、受注明細の新規入力を選択させるためのものである。削除ボタンＭＣ３は、表示領域ＭＣ１において選択されているデータ（具体的には、展開番号、商品データおよび明細データ）の削除を選択させるためのものである。編集ボタンＭＣ４は、表示領域ＭＣ１において選択されているデータ（具体的には、商品データおよび明細データ）の編集を選択させるためのものである。登録ボタンＭＣ５は、表示領域ＭＣ１に表示されているデータ（具体的には、展開番号、商品データおよび明細データ）の登録を選択させるためのものである。
【００５８】
図２の説明に戻り、ユーザは、マウス１１２を操作して、表示領域ＭＣ１に表示されているデータのうち編集したいものが表示されている行を選択し、編集ボタンＭＣ４を押下する。
【００５９】
編集ボタンＭＣ４が押下されると（ステップＳ８：Ｙｅｓ）、出力実行部１０２ｅは、受注明細入力画面ＭＡに、表示領域ＭＣ１において選択された行に表示されているデータを出力する（ステップＳ９、図６参照）。
【００６０】
ユーザは、キーボード１１２を操作して明細データを適宜修正し、マウス１１２を操作して確定ボタンＭＡ８を押下する。
【００６１】
確定ボタンＭＡ８が押下されると（ステップＳ１０：Ｙｅｓ）、出力実行部１０２ｅは、受注明細入力画面ＭＡに表示されている展開番号、商品データおよび明細データを、表示領域ＭＣ１において選択された行に出力（反映）する（ステップＳ１１）。
【００６２】
ユーザは、受注明細管理画面ＭＣの表示領域ＭＣ１に表示されているデータを確認し、マウス１１２を操作して登録ボタンＭＣ５を押下する。
【００６３】
登録ボタンＭＣ５が押下されると（ステップＳ１２：Ｙｅｓ）、登録部１０２ｆは、表示領域ＭＣ１に表示されているデータを、明細データファイル１０６ｂに格納する（ステップＳ１３）。
【００６４】
以上、業務管理装置１００で実行される処理の一例についての説明を終える。なお、本説明では、受注に関する明細の新規入力、修正そして登録までの作業を一連の流れで行う場合に実行される処理を一例として挙げたが、本処理は、各々の作業を個別に行う場合にも同様に適用することができる。また、本処理は、受注以外にも、例えば、仕入れ、発注、売上またはインボイスに関する明細の入力、修正および登録についても同様に適用することができる。
【００６５】
また、本説明では、商品展開補助画面として図３に示すものを一例として挙げたが、例えば、入力・表示領域ＭＢ５が一覧形式になっている図３に示すものと入力・表示領域ＭＢ５がマトリクス形式になっている図７に示すものを予め用意しておき、品番マスタ１０６ａに含まれている商品展開補助起動区分で、どちらの商品展開補助画面を起動させるかを設定しておいてもよい。なお、どちらの商品展開補助画面を起動させるかは、商品の性質を考えて設定すればよい。
【００６６】
［３．実施形態のまとめ、および他の実施形態］
以上、本実施形態によれば、受注明細入力画面ＭＡに含まれているテキストボックスＭＡ１に品番コードが入力されると、（１）入力された品番コードと紐付けられている品番名および複数の商品特性値データ（商品特性値コードおよび商品特性値名）を品番マスタから検索し、（２）入力された品番コードおよび検索された品番名がテキストボックスＭＢ２およびテキストボックスＭＢ３に表示されており且つ検索された複数の商品特性値名が入力・表示領域ＭＢ５に表示されている商品展開補助画面ＭＢを生成し、（３）生成された商品展開補助画面ＭＢをモニタ１１４に表示させる。
【００６７】
これにより、品番は同じだが特性（例えば、カラーやサイズなど）が異なる複数の商品についての明細データを、商品ごとに入力させるのではなく、当該複数の商品分纏めて入力させることができる。換言すると、複数の商品についての明細データを、商品単位ではなく品番単位で入力させることができる。従って、ユーザは、個々の商品を意識せずに、品番コードを指定するだけで、複数の商品についての明細データの入力を纏めて行うことができ、ゆえに明細データの入力作業の効率を向上させることができる。
【００６８】
また、本実施形態によれば、入力・表示領域ＭＢ５に明細データが入力されると、（４）テキストボックスＭＢ２に表示されている品番コードと検索された各々の商品特性値コードとが組み合わされた複数の商品コードを生成すると共に、テキストボックスＭＢ３に表示されている品番名と検索された各々の商品特性値名とが組み合わされた複数の商品名を生成し、（５）入力・表示領域ＭＢ５に表示されている明細データおよび生成された商品コードおよび商品名を含む複数の商品データを受注明細管理画面ＭＣに出力する。
【００６９】
これにより、品番は同じだが特性が異なる複数の商品についての明細データを、商品ごとに作成するのではなく、当該複数の商品分纏めて作成することができる。換言すると、複数の商品についての明細データを、商品単位ではなく品番単位で作成させることができる。従って、ユーザは、個々の商品を意識せずに、品番コードを指定するだけで、複数の商品についての明細データの入力から作成までを一連の流れで纏めて行うことができ、ゆえに明細データの入力から作成までの作業の効率を向上させることができる。
【００７０】
また、これまで本発明の実施形態について説明したが、本発明は、上述した実施形態以外にも、特許請求の範囲に記載した技術的思想の範囲内において種々の異なる実施形態にて実施されてよいものである。
【００７１】
例えば、上述した実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００７２】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００７３】
また、業務管理装置１００に関して、図示の各構成要素は機能概念的なものであり、必ずしも物理的に図示の如く構成されていることを要しない。
【００７４】
例えば、業務管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、情報処理装置に本発明にかかる明細入力補助方法を実行させるためのプログラム化された命令を含む一時的でないコンピュータ読み取り可能な記録媒体に記録されており、必要に応じて業務管理装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７５】
また、このコンピュータプログラムは、業務管理装置１００に対して任意のネットワークを介して接続されたアプリケーションプログラムサーバに記憶されていてもよく、必要に応じてその全部または一部をダウンロードすることも可能である。
【００７６】
また、本発明にかかる明細入力補助プログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ  Ｄｉｓｃ等の任意の「可搬用の物理媒体」を含むものとする。
【００７７】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７８】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７９】
また、業務管理装置１００は、既知のパーソナルコンピュータまたはワークステーション等の情報処理装置として構成してもよく、また、任意の周辺装置が接続された当該情報処理装置として構成してもよい。また、業務管理装置１００は、当該情報処理装置に本発明の明細入力補助方法を実現させるソフトウェア（プログラムまたはデータ等を含む）を実装することにより実現してもよい。
【００８０】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００８１】
以上のように、本発明にかかる明細入力補助装置、明細入力補助方法および明細入力補助プログラムは、特に、発注、仕入、受注またはインボイス等に対応する明細入力画面への商品データおよび明細データの入力補助として有用である。
【符号の説明】
【００８２】
１００  業務管理装置
１０２  制御部
１０２ａ  検索部
１０２ｂ  画面生成部
１０２ｃ  表示実行部
１０２ｄ  商品データ生成部
１０２ｅ  出力実行部
１０２ｆ  登録部
１０４  通信インターフェース部
１０６  記憶部
１０６ａ  品番マスタ
１０６ｂ  明細データファイル
１０８  入出力インターフェース部
１１２  入力装置
１１４  出力装置
【図１】
0006032947.tif 000002
【図２】
0006032947.tif 000003
【図３】
0006032947.tif 000004
【図４】
0006032947.tif 000005
【図５】
0006032947.tif 000006
【図６】
0006032947.tif 000007
【図７】
0006032947.tif 000008